(57)【要約】【課題】掛け寝具を身体上からずれ難くすることができ、併せて、身体が収納されている空間の保温性に優れる掛け寝具用カバーを提供する。【解決手段】掛け寝具用カバー１を、掛け寝具５の上面を覆う上シート部４と、掛け寝具５の下面を覆う中央シート部３と、中央シート部３の下面に設けられた下シート部２とで構成し、下シート部２に使用者の肩、手、足を中央シート部３と下シート部２との間（身体収納部９）に収納し得る大きさの開口部２ａを形成した。掛け寝具５をシート部３，４間に収納し、使用者の肩、手、足を身体収納部９に収納すると、使用者の肩、手、足が下シート部２で掛け寝具用カバー１に掛かり、使用者が寝返りをうつたびに掛け寝具用カバー１も掛け寝具５を伴いその寝返り方向に移動される。又、掛け寝具用カバー１の下シート部２が身体収納部９と外部とを遮断するので、身体収納部９は良好な保温状態になる。【選択図】図１
2007252889.tif 000002
【特許請求の範囲】
【請求項１】
掛け布団等の掛け寝具の上面の少なくとも外周部を覆う上シート部と、
前記掛け寝具の下面を覆う中央シート部と、
前記中央シート部の下面に設けられた下シート部とを備え、
前記下シート部には、使用者の肩、手、足を前記中央シート部との間に収納すること  が可能な大きさの開口部が形成されていることを特徴とする掛け寝具用カバー。
【発明の詳細な説明】
【技術分野】
【０００１】
本発明は、掛け布団、掛け毛布等の掛け寝具を収納する掛け寝具用カバーに関する。
【背景技術】
【０００２】
従来より、掛け布団、掛け毛布等の掛け寝具は、それが汚れないように、掛け寝具用カバーに収納して使用されている。この掛け寝具用カバーの上面或いは側面には、開口部が形成されており、この開口部から掛け寝具の出し入れが行われている。
これにより、掛け寝具用カバーが汚れた場合、掛け寝具用カバーを取外して、これを洗濯して、再使用することができる。
尚、上記のような掛け寝具用カバーは、一般的に普及されているものであり、適当な公知文献は発見できなかった。
【発明の開示】
【発明が解決しようとする課題】
【０００３】
使用者が、掛け寝具用カバーに収納した掛け寝具を掛けて就寝しているときに、寝返りをうつと、掛け寝具が掛け寝具用カバーとともに使用者の身体の上からずれてしまうことが度々ある。特に、ベッドを使用している場合には、掛け寝具がベッドからずれ落ちてしまうことがある。
又、二人の使用者が掛け寝具（ダブルサイズ）を使用して就寝しているときに、一方が寝返りをうつことにより、掛け寝具がずれてしまい、他方の身体に掛け寝具が掛かっていないことが度々ある。
【０００４】
更に、掛け寝具用カバーと敷き布団との間には、外部から冷たい空気が侵入することがあり、反対に、掛け寝具用カバーと敷き布団との間の、体温で温められた空気が外部に出ることもあって、十分な保温効果が得られない場合がある。
【０００５】
本発明は、上記の事情に鑑みてなされたものであり、その目的は、掛け寝具を身体上からずれ難くすることができ、併せて、身体が収納されている空間の保温性に優れる掛け寝具用カバーを提供することである。
【課題を解決するための手段】
【０００６】
本発明の掛け寝具用カバーは、掛け布団等の掛け寝具の上面の少なくとも外周部を覆う上シート部と、前記掛け寝具の下面を覆う中央シート部と、前記中央シート部の下面に設けられた下シート部とを備え、前記下シート部には、使用者の肩、手、足を前記中央シート部との間に収納することが可能な大きさの開口部が形成されていることを特徴としている。
【発明の効果】
【０００７】
本発明の掛け寝具用カバーによれば、使用者の身体上に中央シート部を介して掛け寝具が掛けられた状態になるので、掛け寝具と使用者の身体とが接することはなく、掛け寝具の汚れを防止することができる。
そして、使用者の肩、手、足が、下シート部で掛け寝具用カバーに掛かるので、使用者が寝返りをうつたびに、掛け寝具用カバーも掛け寝具を伴いその寝返り方向に移動され、使用者の身体からずれることはない。
【０００８】
使用者が二人の場合、夫々の片方の肩、夫々の片方の手、夫々の片方の足が、下シート部で掛け寝具用カバーに掛かるので、一方の使用者が寝返りをうてば、掛け寝具用カバーが引っ張られることに伴い、他方の使用者も引っ張られる。従って、掛け寝具を常に二人の使用者の身体上に掛けられた状態にすることができる。
【０００９】
更に、下シート部は、使用者の身体を覆って身体の下に敷かれ、身体は中央シート部及び下シート部で包み込まれた状態になるので、掛け寝具用カバーが、身体を収納している空間と外部とを遮断し、身体が収納されている空間を良好な保温状態にすることができる。
【発明を実施するための最良の形態】
【００１０】
以下、本発明を、掛け布団や掛け毛布等の掛け寝具を収納する掛け寝具用カバーに適用して、いくつかの実施形態につき、図面を参照して説明する。
まず、本発明の第１の実施形態について図１乃至図１０を参照して説明する。
【００１１】
図１には、掛け寝具用カバー１を断面で示している。図２には、掛け寝具用カバー１を構成する、下シート部２と、中央シート部３と、上シート部４とを平面で示している。掛け寝具用カバー１は、これらのシート部２，３，４をその順に下から上に重ねて構成されている。
【００１２】
中央シート部３は、掛け寝具５よりやや大きい大きさの矩形状のシートである。
下シート部２は、中央シート部３と同じ大きさのシートから成り、この下シート部２の中央には六角形の開口部２ａが形成され、下シート部２の四隅は、夫々、斜めに切取られている。
上シート部４は、下シート部２と同じ形状である。即ち、上シート部４は、下シート部２と同じ大きさのシートであり、この上シート部４の中央には、開口部２ａと同じ形状の開口部４ａが形成され、上シート部４の四隅は、夫々、斜めに切取られている。
【００１３】
図３には、掛け寝具用カバー１を平面で示し、図４には、掛け寝具用カバー１の外周縁及び開口部２ａ，４ａを断面で拡大して示している。
開口部２ａ，４ａの各周縁は、夫々、折返されて糸６（破線で概略的に示す）で縫い合わされている。又、下シート部２、中央シート部３及び上シート部４の外周縁は、夫々、折返されて、糸６で縫い合わされ、シート部２，３，４を一体にしている。ただし、図３に示すように、掛け寝具用カバー１の長手方向の辺の中央及び四隅は縫い合わされていない。この縫い合わされていない部分は、空気孔７として機能する。尚、図３及び図４以外の掛け寝具用カバー１を示す図では、縫目の表示は省略している。
【００１４】
掛け寝具用カバー１を構成するシート部２，３，４を一体にすることにより、図１に示すように、掛け寝具用カバー１の下側に開口部２ａが位置し、掛け寝具用カバー１の上側に開口部４ａが位置し、中央シート部３と上シート部４との間に寝具収納部８が形成され、中央シート部３と下シート部２との間に身体収納部９が形成される。
【００１５】
寝具収納部８には、掛け寝具５が開口部４ａから収納され、収納されると、掛け寝具５は、上面の外周部が上シート部４の開口部４ａ以外の部分で覆われ、下面が中央シート部３で覆われる。尚、掛け寝具５を寝具収納部８に収納するとき、寝具収納部８からは空気が空気孔７を通じて抜けるので、掛け寝具５を容易に収納できる。
【００１６】
ここで、開口部２ａは、図５に示す使用者１０の肩１０ａ、手１０ｂ、足１０ｃを下シート部２の開口部２ａから、中央シート部３と下シート部２との間（身体収納部９）に収納することが可能な大きさに形成されている。尚、使用者１０の身体の収納については、後に詳述する。
【００１７】
次に、本実施形態の作用について説明する。
掛け寝具用カバー１に収納された掛け寝具５は、図５及び図６に示すように、敷き布団１１に重ねて使用され、敷き布団１１の頭部側には、枕１２が置かれる。
【００１８】
使用者１０は、掛け寝具用カバー１に収納された掛け寝具５と、敷き布団１１との間に入る。次に、図６、図７及び図１０に示すように、足１０ｃを下シート部２の開口部２ａから身体収納部９に収納する。これにより、下シート部２の開口部２ａの足側の周縁は、足１０ｃの下に敷かれ、足１０ｃが下シート部２で掛け寝具用カバー１に掛かる状態になる。
【００１９】
上述の、足１０ｃを身体収納部９に収納しただけの段階では、下シート部２の開口部２ａの頭部側の周縁は、使用者１０の胸の辺りに位置している。そこで次に、下シート部２の開口部２ａの頭部側の周縁を首付近まで引き寄せて、図７、図８及び図９に示すように、手１０ｂから肩１０ａを身体収納部９に収納する。これにより、下シート部２は、肩１０ａ及び手１０ｂの下に敷かれ、肩１０ａ及び手１０ｂが下シート部２で掛け寝具用カバー１に掛かる状態になる。尚、これらに伴い、肩１０ａ、手１０ｂ、足１０ｃは、掛け寝具５側からは中央シート部３によって覆われもする。
【００２０】
次に、本実施形態の効果について説明する。
本実施形態の掛け寝具用カバー１によれば、使用者１０の身体上に中央シート部３を介して掛け寝具５が掛けられるので、掛け寝具５と使用者１０の身体とが接することはなく、掛け寝具５の汚れを防止することができる。
【００２１】
そして、使用者１０の肩１０ａ、手１０ｂ、足１０ｃが、下シート部２で掛け寝具用カバー１に掛かるので、使用者１０が寝返りをうつたびに、掛け寝具用カバー１も掛け寝具５を伴いその寝返り方向に移動される。従って、使用者１０の寝返りによりその方向に掛け寝具５が移動しても、使用者１０が元に戻れば、それに連れて掛け寝具５も元に戻り、使用者１０の身体からずれることはない。よって、掛け寝具５は、常に使用者１０の身体上に掛けられた状態になる。又、この掛け寝具用カバー１をベッド用の掛け寝具５に適用した場合、掛け寝具５がベッドからずれ落ちてしまうことを防ぐことができる。
【００２２】
使用者１０が二人の場合、夫々の片方の肩１０ａ，１０ａ、夫々の片方の手１０ｂ，１０ｂ、夫々の片方の足１０ｃ，１０ｃが、下シート部２で掛け寝具用カバー１に掛かる。そのため、一方の使用者１０が寝返りをうてば、掛け寝具用カバー１が引っ張られることに伴い、他方の使用者１０も引っ張られる。よって、掛け寝具５を常に二人の使用者１０，１０の身体上に掛けられた状態にすることができる。
【００２３】
更に、下シート部２は、使用者１０の身体を覆って身体の下に敷かれ、身体は中央シート部３及び下シート部２で包み込まれた状態になるので、掛け寝具用カバー１が、身体収納部９と外部とを遮断し、身体収納部９への冷たい外気の侵入を防止し、又、体温で暖められた空気が外部へ出てしまうことも防止する。従って、身体が身体収納部９を良好な保温状態にすることができる。
【００２４】
以上に対して、図１１及び図１２は、本発明の第２及び第３の実施形態を示すもので、夫々、第１の実施形態と同一部分には同一符号を付して説明を省略し、異なる部分についてのみ述べる。
【００２５】
図１１に示す第２の実施形態の掛け寝具用カバー２１は、上シート部２２の側面に掛け寝具５を出し入れする開口部２３が形成されている。これは、掛け寝具用カバー２１の中央シート部３と上シート部２２の外周縁のうちの例えば足側の一辺を縫い合わせずに、その部分を開口部２３とする構成である。
かかる構成の掛け寝具用カバー２１においても、第１の実施形態の掛け寝具用カバー１と同様の作用効果を得ることができる。
【００２６】
図１２に示す第３の実施形態の掛け寝具用カバー３１は、中央シート部３２が下シート部２及び上シート部４に縫い合わされておらず、下シート部２及び上シート部４だけが縫い合わされ、そのシート部２，４間に中央シート部３２が挿入される構成である。中央シート部３２は、上下２枚のシート部３３，３４を重ねて、これらの外周縁を縫い合わされて構成されており、そのうち上側のシート部３４の中央には、開口部４ａと同形状の開口部３５が形成されている。
【００２７】
中央シート部３２には開口部３５から掛け寝具５が収納され、そして、その収納された掛け寝具５が、開口部４ａからシート部２，４間に収納されることにより、掛け寝具５の上面が中央シート部３２のシート部３４を介して上シート部４で覆われ、下面がシート部３３で覆われる。使用者１０の身体は、中央シート部３２のシート部３３と下シート部２との間に収納される。
かかる構成の掛け寝具用カバー３１においても、第１の実施形態の掛け寝具用カバー１と同様の作用効果を得ることができる。
【００２８】
尚、本発明は上記し且つ図面に示す実施形態に限定されず、次のような変形、拡張が可能である。
第１乃至第３の実施形態の掛け寝具用カバーの下シート部の開口部の形状は、六角形以外の多角形、或いは円形（中でも楕円形）に変更しても良い。
第１及び第３の実施形態の掛け寝具用カバーの上シート部の開口部は、下シート部の開口部の形状と異なっていても良い。又、第３の実施形態の掛け寝具用カバーの上シート部には開口部を形成しなくても良い。この場合、中央シート部に収納された掛け寝具は、下シート部の開口部から下シート部と上シート部との間に収納される。
【００２９】
第１及び第２の実施形態の掛け寝具用カバーは、下シート部、中央シート部、上シート部のうちのいずれか２つのシート部を、一枚の大きなシートを二つ折りにして、それに残りのシート部を合わせて外周縁を縫い合わせることにより構成しても良い。一方、第３の実施形態の掛け寝具用カバーの下シート部と上シート部、並びに中央シート部も、そのうちの少なくとも一方を、一枚の大きなシートを二つ折りにして、折った辺以外の外周縁を縫い合わせることにより構成しても良い。
空気孔の数や位置は、適宜変更することができる。
【図面の簡単な説明】
【００３０】
【図１】本発明の第１の実施形態を示す掛け寝具用カバーの縦断面図
【図２】掛け寝具用カバーの分解図
【図３】掛け寝具用カバーの上面図
【図４】掛け寝具用カバーの外周縁の拡大断面図
【図５】使用状態を示す上面図
【図６】図５のＡ−Ａ線に沿って切断して示す断面図
【図７】図６のＢ−Ｂ線に沿って切断して示す下面図
【図８】図５のＣ−Ｃ線に沿って切断して示す断面図
【図９】図５のＤ−Ｄ線に沿って切断して示す断面図
【図１０】図５のＥ−Ｅ線に沿って切断して示す断面図
【図１１】本発明の第２の実施形態を示す図１相当図
【図１２】本発明の第３の実施形態を示す図１相当図
【符号の説明】
【００３１】
図面中、１は掛け寝具用カバー、２は下シート部、２ａは開口部、３は中央シート部、４は上シート部、５は掛け寝具、１０は使用者、１０ａは肩、１０ｂは手、１０ｃは足、２１は掛け寝具用カバー、２２は上シート部、３１は掛け寝具用カバー、３２は中央シート部を示す。
【図１】
2007252889.tif 000003
【図２】
2007252889.tif 000004
【図３】
2007252889.tif 000005
【図４】
2007252889.tif 000006
【図５】
2007252889.tif 000007
【図６】
2007252889.tif 000008
【図７】
2007252889.tif 000009
【図８】
2007252889.tif 000010
【図９】
2007252889.tif 000011
【図１０】
2007252889.tif 000012
【図１１】
2007252889.tif 000013
【図１２】
2007252889.tif 000014